(57)【特許請求の範囲】
【請求項１】
複数のＷＷＷサーバを接続してなるネットワークに接続され、前記各ＷＷＷサーバに蓄積されたＨＴＭＬ形式で記述されたドキュメントファイル（以下、「ＨＴＭＬドキュメントファイル」という。）を受信して印刷するネットワーク対応型印刷装置であって、
前記ネットワーク対応型印刷装置は、
前記ネットワークに接続するためのネットワーク接続手段と、
前記ＨＴＭＬドキュメントファイルを特定するために必要な特定用情報及びアクセス時刻をアクセス管理情報として登録するアクセス管理情報登録手段と、
前記アクセス管理情報登録手段を除く前記ネットワーク対応型印刷装置各部に対する供給電力を節約する節約モード又は通常の電力供給モードで電力を供給する電力管理手段と、
前記登録されたアクセス管理情報に基づいて、登録されたアクセス時刻に登録された特定用情報により特定されるＨＴＭＬドキュメントファイルに対してアクセスを実行し、当該ＨＴＭＬドキュメントファイルを受信して印刷する印刷制御手段と、を備え、
前記印刷制御手段は、テキスト文書としてのドキュメントデータを解釈して印字データを生成するドキュメントデータ解釈部と、この印字データとＨＴＭＬドキュメントファイル中のタグで記述される制御データの解釈結果とに基づいて印刷記録媒体に印刷を行う印刷部を制御する印刷部制御部とを含んで構成され、
前記ネットワーク接続手段は、前記受信したＨＴＭＬドキュメントファイルをバッファに一時的に記憶し、印刷を行うとき、前記バッファに記憶されたＨＴＭＬドキュメントファイルをテキスト文書としてのドキュメントデータとタグで記述される制御データとに分別して、前記ドキュメントデータを前記ドキュメントデータ解釈部に引き渡し、前記制御データを前記印刷部制御部に引き渡すデータ制御部と、前記ネットワークに接続してデータ通信を行うためのプロトコルを制御するプロトコル制御部とを含んで構成され、
前記アクセス管理情報登録手段は、登録されたアクセス時刻に達したときにアクセス要求信号を発行し、前記アクセス要求信号と当該アクセス時刻に対応付けて登録されたＨＴＭＬドキュメントファイルの特定用情報とを前記印刷制御手段に通知し、
前記電源管理手段は、前記アクセス要求信号が発行されるまでの間は、前記節約モードで電力を供給し、前記アクセス要求信号が発行されたときに、前記節約モードを解除して前記通常の電力供給モードで電力を供給し、
前記印刷制御手段は、前記節約モードが解除されると、前記ネットワーク接続手段を介して前記ネットワークに接続し、前記ネットワークへの接続が完了したか否かを判定し、前記ネットワークへの接続が行われたときに、前記アクセス管理情報登録手段に登録された前記特定用情報を呼び出して参照して、前記特定用情報により特定されるＨＴＭＬドキュメントファイルに対してアクセスを実行する
ことを特徴とするネットワーク対応型印刷装置。
【請求項２】
前記アクセス管理情報登録手段は、
複数のＨＴＭＬドキュメントファイルの特定用情報が候補情報として記録された候補情報記録媒体の記録内容を読取るための候補情報読取り手段と、
この読取られた複数の候補情報のうちいずれか一つまたは複数の候補情報を選択可能な候補選択手段と、
前記選択された候補情報をアクセスする時刻を登録するためのアクセス時刻登録手段と、
前記選択された候補情報を前記登録されたアクセス時刻に対応付けて記憶する記憶手段とを含んで構成され、
登録されたアクセス時刻に達したときにアクセス要求信号を発行し、前記アクセス要求信号と当該アクセス時刻に対応付けて登録されたＨＴＭＬドキュメントファイルの特定用情報とを前記印刷制御手段に通知することを特徴とする請求項１に記載のネットワーク対応型印刷装置。
【請求項３】
複数のＷＷＷサーバを接続してなるネットワークに接続され、前記各ＷＷＷサーバに蓄積されたＨＴＭＬ形式で記述されたドキュメントファイル（以下、「ＨＴＭＬドキュメントファイル」という。）を受信して印刷するネットワーク対応型印刷装置を用いたネットワーク対応型印刷方法であって、
前記ネットワーク対応型印刷装置は、ネットワーク接続手段と、アクセス管理情報登録手段と、電力管理手段と、印刷制御手段と、を備え、
前記アクセス管理情報登録手段に対して、前記ＨＴＭＬドキュメントファイルを特定するために必要な特定用情報及びアクセス時刻をアクセス管理情報として登録するステップと、
前記アクセス管理情報登録手段が、前記登録されたアクセス時刻に達したときにアクセス要求信号を発行するステップと、
前記アクセス管理情報登録手段が、前記アクセス要求信号と当該アクセス時刻に対応付けて登録されたＨＴＭＬドキュメントファイルの特定用情報とを前記印刷制御手段に通知するステップと、
前記電力管理手段が、前記アクセス要求信号が発行されるまでの間は、前記アクセス管理情報登録手段を除く前記ネットワーク対応型印刷装置各部に対する供給電力を節約する節約モードで電力を供給し、前記アクセス要求信号が発行されたときに、前記節約モードを解除して前記通常の電力供給モードで電力を供給するステップと、
前記印刷制御手段が、前記節約モードが解除されると、前記ネットワーク接続手段を介して前記ネットワークに接続し、前記ネットワークへの接続が完了したか否かを判定し、前記ネットワークへの接続が行われたときに、前記アクセス管理情報登録手段に登録された前記特定用情報を呼び出して参照して、前記特定用情報により特定されるＨＴＭＬドキュメントファイルに対してアクセスを実行するステップと、
前記印刷制御手段が、前記アクセスしたＨＴＭＬドキュメントファイルを受信するステップと、
前記印刷制御手段が、前記受信したＨＴＭＬドキュメントファイルをバッファに一時的に記憶するステップと、
前記印刷制御手段が、前記バッファに記憶されたＨＴＭＬドキュメントファイルの印刷を行うとき、前記ＨＴＭＬドキュメントファイルをテキスト文書としてのドキュメントデータとタグで記述される制御データとに分別して、前記ドキュメントデータ及び制御データに基づいて印刷を行うステップと、
を備えたことを特徴とするネットワーク対応型印刷方法。
【発明の詳細な説明】
【０００１】
【発明の属する技術分野】
本発明は、例えば、インターネット等のネットワーク上に存在する情報資源に直接アクセスし、当該情報資源をダウンロードして印刷することができるネットワーク対応型印刷装置及び印刷方法に関する。
【０００２】
【従来の技術】
例えば、ＬＡＮ（Local Area Network）等のネットワークに接続され、複数のホストコンピュータによって共用されるネットワークプリンタは、従来より知られている。かかるネットワークプリンタは、ネットワークに接続された複数のホストコンピュータから印刷ジョブを受け取って印刷を行う。一方、多数のネットワークを相互に接続してなる世界的規模のネットワークとしては、インターネットが知られている。
【０００３】
そこで、従来技術によるネットワークプリンタについて、図９を参照しつつ説明する。インターネット１００は、幾つかの基幹ネットワークを相互接続してなる世界的規模のネットワークであり、異機種のサーバ１０１間でデータ通信等を行うためにマルチベンダ対応の通信プロトコル、例えば、ＴＣＰ／ＩＰ（Transmission Control Protocol/Internet Protocol）、ＨＴＴＰ（Hypertext Transfer Protocol）等を採用している。
【０００４】
ここで、各サーバ１０１は、通常、複数の情報資源をスプール１０２内に記憶している。情報資源としては、ＷＷＷ（World Wide Web）サーバが提供するホームページ、ＦＴＰ（File Transfer Protocol）サーバが提供するファイル、ニュースサーバが提供するネットニュース等が知られている。
【０００５】
インターネット１００には、ＬＡＮ１０３を接続することができる。このＬＡＮ１０３には、クライアントとなる複数のホストコンピュータ１０４が接続されている。また、ＬＡＮ１０３には、各ホストコンピュータ１０４によって共用されるネットワークプリンタ１０５も接続されている。ＬＡＮ１０３は、ルータ１０６等を介してインターネット１０３に接続される。
【０００６】
各ホストコンピュータ１０４は、ルータ１０６等を介してサーバ１０１と接続することにより、各サーバ１０１が保有する各種の情報資源を利用することができる。各サーバ１０１からダウンロードされた各種情報資源は、ホストコンピュータ１０４に実装された閲覧ソフトウエア、ビューワ等のソフトウエアによって再生される。
【０００７】
ダウンロードした情報資源のうち印刷可能な情報、例えば、ドキュメントデータや静止画像ファイルについては、ネットワークプリンタ１０５によって印刷記録媒体に印刷出力することができる。この場合、印刷を行うホストコンピュータ１０４は、ネットワークプリンタ１０５のＬＡＮアドレス、印字データ、制御コード等を含んでなる印刷データをＬＡＮ回線上に出力する。この印刷データを受信したネットワークプリンタ１０５は、印刷を実行する。
【０００８】
【発明が解決しようとする課題】
上述した従来技術では、インターネット１００上のＷＷＷサーバ等に記憶された情報資源を印刷物として入手する場合、ユーザーは、第１に、ホストコンピュータ１０４を起動して所望のサーバ１０１にアクセスし、第２に、目的のドキュメントデータをホストコンピュータ１０４内にダウンロードし、第３に、ダウンロードしたドキュメントデータの印刷を行わなければならない。
【０００９】
従って、例えば、ＷＷＷサーバ上のホームページのように、定期的に更新される情報資源を印刷物として入手する場合には、その都度、ホストコンピュータ１０４を立ち上げてサーバにアクセスする等の操作を行わなければならず、目的とする印刷記録媒体の入手に手間がかかるという欠点がある。また、近年は、インターネット利用者が急増している上に、動画や音声等の負荷の大きなデータがネットワークを流通する傾向がある。従って、利用が集中する時間帯では、回線が混雑していることが多く、所望のサーバにアクセスできない可能性が高くなっている。この場合には、混雑の少ない時間を見計らって再度アクセスしなければならないため、使い勝手が低い。
【００１０】
本発明は、上記のような種々の課題に鑑みなされたものであり、その目的は、所望する情報資源の名称及びアドレスとアクセス時刻とを予め登録しておくだけで、所望の情報資源を印刷することができるようにしたネットワーク対応型印刷装置及び印刷方法を提供することにある。より具体的には、予め登録されたアクセス時間に達したときには、ホストコンピュータを介さずに自ら能動的に予め登録された情報資源にアクセスし、当該情報資源を受信して印刷することができるようにしたネットワーク対応型印刷装置及び印刷方法を提供することにある。また、本発明の他の目的は、情報資源のアドレスを正確かつ速やかに入力することができるようにしたネットワーク対応型印刷装置及び印刷方法を提供することにある。
【００１１】
【課題を解決するための手段】
上記目的達成のため、本発明に係るネットワーク対応型印刷装置では、予め登録されたアクセス時刻に達したときに、能動的に所望の情報資源にアクセスし、ホストコンピュータを介在させることなく当該情報資源を受信して、印刷するようになっている。
【００１２】
即ち、請求項１に係る発明では、複数のサーバを接続してなるネットワークに接続され、前記各サーバに蓄積された情報資源を受信して印刷するネットワーク対応型印刷装置であって、前記ネットワークに接続するためのネットワーク接続手段と、前記情報資源を特定するために必要な特定用情報及びアクセス時刻をアクセス管理情報として登録するアクセス管理情報登録手段と、前記登録されたアクセス管理情報に基づいて、登録されたアクセス時刻に登録された情報資源と接続し、当該情報資源を受信して印刷する印刷制御手段とを備えたことを特徴としている。
【００１３】
ここで、「複数のサーバを接続してなるネットワーク」とは、例えば、インターネットやイントラネット等のように、複数のサーバを接続してなるネットワークをいう。また、「情報資源」とは、例えば、ＷＷＷサーバのホームページ、ＦＴＰサーバのファイル等を意味する。「特定用情報」とは、ホームページやドキュメントファイル等の各情報資源を特定するために必要な情報であって、例えば「http://xxx.xxx.xxx.xxx/abc/japanese/seihinn/device/device.htm（またはhtml）」のように、サーバが有する複数の情報資源の中から所望の情報資源を特定するために必要な情報をいう。従って、特定用情報には、サーバアドレス（ＩＰアドレス）やファイル名等が含まれる。なお、情報資源は、html形式で記述されたドキュメントファイルに限定されず、種々の言語で記述された種々のドキュメントファイル、静止画像ファイル等を含む。
【００１４】
ユーザーが所望の情報資源の特定用情報とアクセス時刻とを予め指定すると、この特定用情報及びアクセス時刻は、アクセス管理情報としてアクセス管理情報登録手段に登録される。そして、登録されたアクセス時刻が到来すると、印刷制御手段は、ホストコンピュータを介することなく、ネットワーク接続手段によって登録された情報資源に自発的にアクセスし、この情報資源を受信して印刷を行う。これにより、ユーザーは、情報資源の特定用情報とアクセス時刻とを指定しておくだけで、最終目的物である印刷記録媒体を容易に入手することができる。また、ネットワーク利用頻度の少ない時間帯を選んでアクセス時刻を指定することができるため、アクセス効率を向上することができる。
【００１５】
請求項２に係る発明では、前記アクセス管理情報登録手段は、登録されたアクセス時刻に達したときにアクセス要求信号を発行し、前記アクセス要求信号と当該アクセス要求信号に対応付けて登録された情報資源の特定用情報とを前記印刷制御手段に通知することを特徴としている。
【００１６】
アクセス管理情報登録手段によってアクセス時刻に達したか否かを監視させ、アクセス時刻が到来したときには、アクセス管理情報登録手段からアクセス要求信号を発行させることにより、印刷制御手段の監視処理の負荷を減少させることができる。
【００１７】
請求項３に係る発明では、前記アクセス管理情報登録手段は、複数の情報資源の特定用情報が候補情報として記録された候補情報記録媒体の記録内容を読取るための候補情報読取り手段と、この読取られた複数の候補情報のうちいずれか一つまたは複数の候補情報を選択可能な候補選択手段と、前記選択された候補情報をアクセスする時刻を登録するためのアクセス時刻登録手段と、前記選択された候補情報を前記登録されたアクセス時刻に対応付けて記憶する記憶手段とを含んで構成され、登録されたアクセス時刻に達したときにアクセス要求信号を発行し、前記アクセス要求信号と当該アクセス要求信号に対応付けて登録された情報資源の特定用情報とを前記印刷制御手段に通知することを特徴としている。
【００１８】
所望の情報資源にアクセスしてダウンロードするためには、当該情報資源の固有のアドレスを予め登録しておかなければならない。ここで、例えば、インターネットでＷＷＷサーバのホームページにアクセスするためには、「http://www.abc.co.jp」のようなＵＲＬ（Uniform Resource Locator）形式や、さらにその下のドキュメントを指定するために「http://www.abc.co.jp/document1/htm」等のhtm形式あるいはhtml形式で、情報資源の特定用情報を登録する必要がある。しかし、このような特定用情報の入力は、間違い易く、手間がかかる。そこで、請求項３に係る発明では、予め複数の情報資源の特定用情報を候補情報として記憶してなる候補情報記録媒体を用い、この候補情報記録媒体に記録された候補情報を読み取ってから選択することにより、複雑な特定用情報の手動入力を排除して、使い勝手を向上している。ここで、候補情報記録媒体としては、紙、メモリカード、ＦＤ、ＣＤ−ＲＯＭ、ＤＶＤ−ＲＯＭ等の各種記録媒体を用いることができる。そして、候補情報記録媒体を利用して選択した情報資源の特定用情報にアクセス時刻を対応付けて記憶させることにより、ユーザーは、所望の時刻に所望の情報資源にアクセスして、容易に印刷記録媒体を入手することができる。
【００１９】
請求項４に係る発明では、前記印刷制御手段は、ドキュメントデータを解釈して印字データを生成するドキュメントデータ解釈部と、この印字データに基づいて印刷記録媒体に印刷を行う印刷部を制御する印刷部制御部とを含んで構成され、前記ネットワーク接続手段は、前記受信した情報資源を前記ドキュメントデータと制御データとに分別して、前記ドキュメントデータを前記ドキュメントデータ解釈部に引き渡し、前記制御データを前記印刷部制御部に引き渡すデータ制御部と、前記ネットワークに接続してデータ通信を行うためのプロトコルを制御するプロトコル制御部とを含んで構成されていることを特徴としている。
【００２０】
ドキュメントデータと制御データとに分別するデータ解釈部をネットワーク接続手段に設けることにより、印刷制御手段の負荷を軽減することができる。
【００２１】
請求項５に係る発明では、前記アクセス要求信号が発行されるまでの間は、前記アクセス管理情報登録手段を除くプリンタ各部に対する供給電力を節約する節約モードに移行し、前記アクセス要求信号が発行されたときには、前記節約モードから通常の電力供給モードに移行させる電力管理手段を設けたことを特徴としている。
【００２２】
電力管理手段によって、登録されたアクセス時刻が到来するまでは、電力を消費する各部への電力供給が通常時よりも少ない節約モードで行われる。これにより、アクセス時刻までの間、消費電力を低減することができる。
【００２３】
請求項６に係る発明では、複数のサーバを接続してなるネットワークに接続され、前記各サーバに蓄積された情報資源を受信して印刷するネットワーク対応型印刷方法であって、前記情報資源を特定するために必要な特定用情報及びアクセス時刻をアクセス管理情報として登録するステップと、前記登録されたアクセス時刻に達したときにアクセス要求信号を発行するステップと、前記アクセス要求信号と当該アクセス要求信号に対応付けて登録された情報資源の特定用情報とを印刷制御手段に通知するステップと、前記アクセス要求信号の受信によって起動し、登録されたアクセス時刻に登録された情報資源と接続するステップと、前記接続された情報資源を受信するステップと、前記受信した情報資源を印刷するステップと、を備えたことを特徴としている。
【００２４】
これにより、所望の情報資源の特定用情報とアクセス時刻を予め登録しておくだけで、所望の情報資源を印刷記録媒体に複製して入手することができる。
【００２５】
【発明の実施の形態】
以下、図面に基づいて本発明の実施の形態について詳細に説明する。なお、以下の実施の形態では、従来技術で述べた要素と同一の要素には同一の符号を付し、その説明を省略するものとする。
【００２６】
１．第１の実施の形態
図１〜図４は、本発明の第１の実施の形態によるネットワーク対応型印刷装置を示している。図１は、本実施の形態によるネットワーク対応型印刷装置のブロック構成図である。
【００２７】
１−１  機能構成
本実施の形態によるネットワーク対応型印刷装置としてのプリンタ１は、ホストコンピュータ２に接続されていると共に、インターネット１００に接続可能に構成されている。即ち、本プリンタ１は、インターネット１００に対して、ホストコンピュータ２と対等の地位にあり、能動的にインターネット１００にアクセスしてデータのダウンロードを行うものである。また、プリンタ１は、インターネット１００から情報を収集することができる他に、ホストコンピュータ２のローカルプリンタとしても用いることができる。なお、図１中では、プリンタ１のみがインターネット１００に接続可能のように示してあるが、ホストコンピュータ２も独自にインターネット１００にアクセス可能である。また、図９に示す従来技術のように、プリンタ１をＬＡＮや公衆回線網に接続し、これらを介してインターネット１００に接続するように構成してもよい。
【００２８】
プリンタ１は、それぞれ後述するように、ネットワーク接続部３と、ホストインターフェース（以下、「インターフェース」を「Ｉ／Ｆ」と示す）４と、バッファ５と、ＰＤＬ解釈実行部６と、プリントエンジン７と、プリンタコントローラ部８と、パネル部９と、登録部１０と、タイマ１１と、電力管理部１２とを備えている。
【００２９】
ネットワーク接続部３は、通信線を介してインターネット１００に接続するためのものである。ネットワーク接続部３は、図２に示すように、データ制御部３Ａと、プロトコル制御部３Ｂと、ハードウエア部３Ｃとを含んで構成されている。データ制御部３Ａは、インターネット１００からダウンロードした情報を、「ドキュメントデータ」としての印刷データと制御コードとして表現される「制御データ」とに分別するものである。そして、データ制御部３Ａは、印刷データをＰＤＬ解釈実行部６に出力し、制御データをプリンタコントローラ部８に出力する。プロトコル制御部３Ｂは、インターネット１００でデータの送受信を行うためのＴＣＰ／ＩＰやＨＴＴＰ等のプロトコル群の制御とハードウエア部３Ｃの制御を担当し、データ通信を行うものである。ハードウエア部３Ｃは、インターネット１００に接続するために必要なハードウエアであり、例えば、イーサネット（Ethernet）や公衆回線等が知られている。このハードウエア部３Ｃの具体的構成は、ユーザーの利用可能な環境がイーサネットまたは公衆回線のいずれを使用可能であるかによって定まるものである。
【００３０】
ホストＩ／Ｆ４は、ホストコンピュータ２とプリンタ１との通信を行うためのものである。バッファ５は、ネットワーク接続部３から出力された印刷データまたはホストコンピュータ２からホストＩ／Ｆ４を介して入力された印刷データを受信して一時的に記憶するものである。
【００３１】
「ドキュメントデータ解釈部」は、ここではＰＤＬ解釈実行部６として表現され、インターネット１００またはホストコンピュータ２からのＰＤＬで記述された印刷データを解釈して、印字データを生成するものである。しかし、印刷データは、ＰＤＬには限られないため、ＰＤＬ解釈実行部６は、「印刷データ解釈実行部６」として表現することもできる。
【００３２】
プリントエンジン７は、ＰＤＬ解釈実行部６からの印字データに従ってプリントヘッドや紙送り機構等を駆動することにより、電子的情報資源を有形な印刷記録媒体に具現化させるものである。具体的には、レーザプリンタのようにページ単位で印刷するページプリンタ、インクジェットプリンタや熱転写プリンタのように１文字単位で印刷するシリアルプリンタ、１行単位で印刷するラインプリンタ等の各種エンジンを用いることができる。
【００３３】
「印刷部制御部」としてのプリンタコントローラ部８は、プリントエンジン７等の作動を制御するものである。即ち、プリンタコントローラ部８は、制御コードを解釈して、各機構の動作を制御するものである。また、プリンタコントローラ部８は、後述するように、所定のアクセス時刻が到来したときには、ネットワーク接続部３を介して所定の情報資源をダウンロードする機能を備えている。このプリンタコントローラ部８とＰＤＬ解釈部実行部６とによって「印刷制御手段」が構成される。
【００３４】
パネル部９は、プリンタ１の筐体表面に設けられるユーザインターフェースである。このパネル部９は、例えば、液晶ディスプレイ、プラズマディスプレイ等の表示器と、例えば、押釦スイッチ等の入力器とを備えている。タッチパネル等を用いて表示機能と入力機能とを一体的に構成してもよい。
【００３５】
「アクセス管理情報登録手段」としての登録部１０には、予め指定された情報資源の特定用情報（即ち、ある情報資源を特定するために必要な情報であって、例えば、サーバアドレスやファイル名等からなる）と該情報資源にアクセスすべきアクセス時刻とが対応付けられて記憶されている。なお、図中では、特定用情報を「アドレス」として表示している。前記特定用情報およびアクセス時刻は、ホストコンピュータ２を介して指定することができる。また、パネル部９を介して特定用情報及びアクセス時刻を指定するように構成してもよい。登録部１０は、タイマ１１の計時情報を監視しており、所定のアクセス時刻が到来すると、プリンタコントローラ部８に対してアクセス要求信号を発行し、アクセスすべき情報資源の特定用情報を通知するようになっている。
【００３６】
「電力管理手段」としての電力管理部１２は、図示せぬ電源回路とプリントエンジン７等の各電力消費部との間に設けられたスイッチ手段を含んで構成されている。この電力管理部１２は、通常モード時には、各部に対して予定された通常の電力を供給し、節約モード時には、予め設定された所定の部分にのみ電力を供給し、その他の部分に対する電力供給をカットまたは低減するものである。そして、例えば、印刷ジョブが所定時間以上発生しない場合またはホストコンピュータ２やプリンタコントローラ部８等から節約モードへの移行を指示された場合に、電力管理部１２は通常モードから節約モードに移行する。そして、後述のように、アクセス要求信号が発生した場合またはホストコンピュータ２からのローカルな印刷ジョブが発生した場合に、電力管理部１２は節約モードから通常モードに移行するようになっている。
【００３７】
１−２  処理の流れ
次に、本実施の形態の作用について図３及び図４を参照しつつ説明する。図３は、プリンタ１に対して情報資源の特定用情報とアクセス時刻とを登録するための登録処理を示すフローチャートである。
【００３８】
まず、ステップ（以下「Ｓ」と略記）１では、所望の情報資源の特定用情報を入力し、この入力された特定用情報はＳ２で一時的に記憶される。次に、Ｓ３では、取消入力がされたか否かを判定する。取消入力がされたときには、特定用情報の入力ミス等によってユーザーが取消を希望している場合なので、「ＹＥＳ」と判定してＳ４に移る。Ｓ４では、前記Ｓ２で一時的に記憶した特定用情報をリセットしてＳ１に戻る。
【００３９】
一方、前記Ｓ３で「ＮＯ」と判定されたときは、Ｓ５で、特定用情報の入力が完了したか否かを監視する。特定用情報入力の完了が指示されたときは、Ｓ５は「ＹＥＳ」と判定してＳ６に移る。Ｓ６では、入力された特定用情報の情報資源にアクセスすべきアクセス時刻を入力し、Ｓ７では、情報資源の特定用情報とアクセス時刻とを対応付けて登録部１０に記録する。なお、登録処理のフローチャートは、上述のものに限られない。特定用情報を入力する度にアクセス時刻を入力するようにしてもよい。
【００４０】
次に、図４は、アクセス処理のフローチャートである。まず、Ｓ１１では、予め登録されたアクセス時刻が到来したか否かを監視している。アクセス時刻に達したときには、Ｓ１１は「ＹＥＳ」と判定し、Ｓ１２では、プリンタコントローラ部８に対してアクセス要求信号が発行される。このアクセス要求信号により、プリンタコントローラ部８は起動する。
【００４１】
そして、アクセス要求信号がウェイクアップ信号として利用されているため、Ｓ１３では、電力管理部１２によって節約モードが解除され、通常モードで電力が供給される。このアクセス要求信号発生時点で節約モードを解除することにより、プリントエンジン７が定着器等のセットアップ時間の長い部品を有している場合でも、後述の印刷処理実行時までには立ち上げておくことができる。また、例えば、インクジェット式プリントエンジン等の立上がり時間の短いプリントエンジン７を用いる場合は、Ｓ１２でアクセス要求信号が発生してから所定時間経過後に通常モードに移行してもよいし、あるいは、ＰＤＬ解釈実行部６によって印字データが生成されてから通常モードに移行する等のように、通常モードへの復帰タイミングを遅らせることもできる。
【００４２】
そして、Ｓ１４では、ネットワーク接続部３を介してインターネット１００に接続し、Ｓ１５では、インターネット１００への接続が完了したか否か、即ち、例えば、回線が確立したか等を判定する。インターネット１００への接続が行われた場合は、Ｓ１６で、登録部１０に登録された情報資源の特定用情報を呼び出して参照する。Ｓ１７では、この登録された特定用情報の情報資源に対してアクセスを実行する。次に、Ｓ１８では、アクセスしたサーバ１０１に対して所望の情報資源のダウンロードを要求し、ホームページ等の情報資源をダウンロードする。
【００４３】
ダウンロードされた情報資源のデータは、Ｓ１９によって、バッファ５に一時的に記憶され、Ｓ２０では、この記憶した情報資源データの印刷を行う。ここで、例えば、ダウンロードした情報資源のデータのうち、印刷データはＰＤＬ解釈実行部６に引き渡され、改頁等の制御コードはプリンタコントローラ部８に引き渡される。これにより、無形の電子情報として公開されたホームページ等の情報資源は、有形の印刷記録媒体に複製される。印刷終了後、前記Ｓ１９で一時的に保存されたデータは消去される。
【００４４】
そして、Ｓ２１では、全てのアクセスが完了したか否か、つまり、今回のアクセス時刻に対応付けて登録された全ての特定用情報にアクセスしたか否か、を判定する。一つのアクセス時刻に対して複数の特定用情報が登録されている場合は、全ての特定用情報にアクセスして印刷を行うまで、繰返し情報資源へのアクセスが行われる。
【００４５】
なお、回線混雑等によって通信時間が所定時間以上長くなった場合、登録された情報資源の公開が禁止されていた場合、サーバ１０１からアカウント（ＩＤ）やパスワードを要求されたが、これらアカウントやパスワードが予め指定されていない場合、サーバ１０１のメンテナンス等によってサーバ自体にアクセスできない場合等には、その情報資源へのアクセスを中断し、次に登録された特定用情報に対してアクセスする等の処理を行うことができる。なお、ユーザーは、情報資源へのアクセスに必要なアカウントやパスワード（これらを「正当利用者確認情報」あるいは「個人認証情報」として表現することができる）を、情報資源の特定用情報と共に予め指定することができる。
【００４６】
登録された全ての情報資源を印刷した場合には、Ｓ２２でインターネット１００への回線を切断し、接続処理を終了する。接続処理終了後、所定時間が経過すると、節約モードに移行して消費電力を低減する。なお、別のアクセス時刻が設定されている場合は、再びＳ１１〜Ｓ２２までの処理が実行される。
【００４７】
このように構成される本実施の形態によれば、ネットワーク接続部３と、登録部１０と、ＰＤＬ解釈実行部６と、プリントエンジン７と、プリンタコントローラ部８とを含んでプリンタ１を構成し、登録されたアクセス時刻が到来したときには、予め登録された情報資源にアクセスして印刷を行うため、ホストコンピュータ２を起動してインターネット１００に接続する必要がなく、直接、プリンタ１が能動的にインターネット１００にアクセスして所望の情報資源を印刷することができる。これにより、ユーザーは、容易に情報資源の印刷物を入手することができる。
【００４８】
また、トラフィックの少ない時間帯を見計らって予めアクセス時刻を登録することができるため、短時間で情報資源をダウンロードすることができ、通信コストを低減することができる。
【００４９】
さらに、登録部１０によってアクセス時刻の到来を監視し、アクセス時刻に達したときには、アクセス要求信号及び特定用情報をプリンタコントローラ部８に通知する構成であるため、プリンタコントローラ部８の制御負荷を軽減することができる。
【００５０】
また、アクセス要求信号が発行されるまでの間は節約モードで電力を供給し、アクセス要求信号が発行されたときには通常モードで電力を供給する電力管理部１２を設けているため、消費電力を低減することができる。
【００５１】
なお、ダウンロードした情報資源の印刷を実行した後は、当該ダウンロードデータを消去する構成のため、比較的少ないメモリ量で多くの情報資源を印刷することができる。但し、バッファ５のメモリ容量を大きくすれば、予め登録された全ての情報資源を巡回してから、まとめて印刷を行うこともできる。
【００５２】
２．第２の実施の形態
次に、図５〜図８に基づいて本発明の第２の実施の形態を説明する。なお、本実施の形態では、上述した第１の実施の形態と同一の構成要素に同一の符号を付し、その説明を省略するものとする。本実施の形態の特徴は、予め複数の情報資源のアドレスを記憶した候補情報記録媒体を用いることにより、複雑な特定用情報の入力作業を簡素化した点にある。
【００５３】
図５は、本実施の形態に係るネットワーク対応型印刷装置としてのプリンタ２１の機能構成を示している。本実施の形態では、登録部１０に「候補情報読取り手段」としての読取部２２が接続されている。
【００５４】
図６には、読取部２２の具体的態様が示されている。候補情報が印字された記録紙２３Ａの印刷情報を読み取って電子データに変換するスキャナ２２Ａやバーコードリーダ２２Ｂを読取部２２として用いることができる。また、メモリカードやＣＤ−ＲＯＭ、ＦＤ等の電磁的記録媒体２３Ｂの記録情報を読み取る電磁的読取部２２Ｃを用いることもできる。
【００５５】
ここで、「候補情報記録媒体」としての記録紙２３Ａ、電磁的記録媒体２３Ｂには、図７に示すように、例えば、一連のエントリ番号と、ホームページ名等の情報資源の名称と、各情報資源の内容紹介と、ＵＲＬ等のアドレスとが、それぞれ記録されている。これらの内容紹介等の各候補情報は、読取部２２によって読み取られ、登録部１０に一時的に登録される。そして、各候補情報は、ホストコンピュータ２のモニタ画面やパネル部９に一覧表示される。なお、記録紙２３Ａ等に記録された全ての候補情報を全て一覧表示する必要はなく、スクロール操作等によって一覧表示できるようになっていればよい。そして、ユーザーは、マウス等のホストコンピュータ２の入力手段やパネル部９の入力器９Ａを操作することにより、複数表示された候補の中から所望の情報資源を選択する。選択された情報資源には、図７中の黒三角印やハイライト表示等の選択済み表示がされるのが好ましい。そして、選択が確定した情報資源の特定用情報は、登録部１０に登録される。
【００５６】
なお、以上は、例示であって、本発明はこれに限定されない。例えば、エントリ番号を省略してもよいし、内容紹介も省略できる。例えば、本、雑誌等の本文で情報資源の内容紹介を行い、登録時には、候補情報シートとしての記録紙２３Ａを切り取ってスキャナ２２Ａに読み取らせる等の使い方も可能である。また、候補情報記録媒体としては、記録紙２３Ａや電磁的記録媒体２３Ｂ等の有形的な記録媒体に限らない。例えば、候補情報サーバを設け、この候補情報サーバから候補情報メニューをネットワークを介してダウンロードすることもできる。さらに、候補情報として予め複数のアクセス時刻を記録しておき、この予め用意されたアクセス時刻の中から所望のアクセス時刻を選択して登録するように構成することもできる。
【００５７】
次に、図８のフローチャートを参照して、本実施の形態による登録処理を説明する。まず、Ｓ３１では、候補情報が記録された記録紙２３Ａ等をスキャナ２２Ａ等を介して読み込み、候補として挙げられた複数の情報資源の特定用情報を全て入力する。この各特定用情報は、Ｓ３２で一時的に記憶される。次に、Ｓ３３では、ユーザーが取消を希望しているか否かを判定する。取消が指示された場合は、Ｓ３４で各情報資源の特定用情報がリセットされる。一方、取消を指示されない場合は、Ｓ３５で、複数表示された情報資源の中から登録を希望する情報資源を選択する。図８中では図示を省略しているが、選択のリセットを判断する処理を設ける方が使い易く、好ましい。
【００５８】
そして、Ｓ３６では、選択操作の終了によって情報資源の特定用情報の入力作業が完了したか否かを判定する。別の記録紙２３Ａによって他の情報資源を登録する場合等には、Ｓ３６では「ＮＯ」と判定され、Ｓ３１に戻る。特定用情報の入力が完了した場合には、Ｓ３７で、入力された特定用情報にアクセスすべきアクセス時刻を入力する。そして、Ｓ３８では、登録された情報資源の特定用情報にアクセス時刻を対応付けて記録する。
【００５９】
なお、アクセス処理は、図４と同様であるため、省略する。
【００６０】
このように構成される本実施の形態によれば、第１の実施の形態と同様の効果を得ることができる。これに加えて、本実施の形態では、複数の情報資源の特定用情報を候補情報として記録してなる記録紙２３Ａや電磁的記録媒体２３Ｂを用いて、情報資源の特定用情報を登録する構成のため、複雑な特定用情報を正確かつ速やかに入力することができ、使い勝手が向上する。
【００６１】
従って、コンピュータ操作に不慣れなユーザーでも容易に所望の情報資源を登録することができ、しかも、ホストコンピュータ２を介さずに情報資源を受信して印刷することができるため、幅広いユーザー層に対してネットワークを介した情報配信を行うことができる。
【００６２】
なお、当業者であれば、各実施の形態に記載された本発明の要旨の範囲内で種々の追加、変更等が可能である。例えば、過去に登録されたことのある情報資源の特定用情報を履歴情報として保存しておき、この履歴情報を参照して情報資源の登録を行うこともできる。また、プリンタ１としては、プリンタ専用機に限らず、複写機、ファクシミリ装置等の機能を備えた複合機でもよい。
【００６３】
【発明の効果】
以上説明した通り、本発明に係るネットワーク対応型印刷装置及び印刷方法によれば、所望の情報資源の特定用情報とアクセス時刻とを予め登録するだけで、所定の時刻に能動的なアクセスが行われるため、情報資源を印刷してなる印刷物を容易に入手することができ、使い勝手が向上する。
【００６４】
また、複数の情報資源の特定用情報を記録した候補情報記録媒体を用いて、情報資源の特定用情報を登録する構成のため、情報資源の特定用情報を容易に入力することができ、使い勝手が向上する。
【図面の簡単な説明】
【図１】本発明の第１の実施の形態に係るネットワーク対応型印刷装置の機能構成を示すブロック図である。
【図２】ネットワーク接続部の構成を示す説明図である。
【図３】情報資源の特定用情報及びアクセス時刻を登録するための登録処理を示すフローチャートである。
【図４】登録された時刻に登録された情報資源にアクセスするためのアクセス処理を示すフローチャートである。
【図５】本発明の第２の実施の形態に係るネットワーク対応型印刷装置の機能構成を示すブロック図である。
【図６】候補情報記録媒体及び読取部の具体例を示す説明図である。
【図７】候補情報記録媒体の記録内容の一例を示す説明図である。
【図８】情報資源の特定用情報及びアクセス時刻を登録するための登録処理を示すフローチャートである。
【図９】ホストコンピュータから入力された印刷データを受動的に処理する従来技術によるネットワークプリンタを示す説明図である。
【符号の説明】
１  プリンタ
２  ホストコンピュータ
３  ネットワーク接続部
６  ＰＤＬ解釈実行部
７  プリントエンジン
８  プリンタコントローラ部
１０  登録部
１１  タイマ
１２  電力管理部
２１  プリンタ
２２  読取部
２２Ａ  スキャナ
２２Ｂ  バーコードリーダ
２２Ｃ  電磁的読取部
２３Ａ  記録紙
２３Ｂ  電磁的記録媒体
１００  インターネット
１０１  サーバ
【図１】
0004334626.tif 000002
【図２】
0004334626.tif 000003
【図３】
0004334626.tif 000004
【図４】
0004334626.tif 000005
【図５】
0004334626.tif 000006
【図６】
0004334626.tif 000007
【図７】
0004334626.tif 000008
【図８】
0004334626.tif 000009
【図９】
0004334626.tif 000010